(57)【要約】【課題】プラズマディスプレイパネルを提供する。【解決手段】透明な前面基板及び前面基板と対向するように配置される背面基板と、前面基板及び背面基板間に配置され、放電を起こす空間である複数の放電セルを限定するように、一方向に向けて蛇行するように延びて配置される複数の隔壁と、電荷が印加されて放電セル内に電場を形成する複数の電極と、放電セル内に配置される蛍光体層と、放電セル内に存在する放電ガスとを備えることを特徴とするプラズマディスプレイパネルである。これにより、不純物ガスの排気と放電ガスの充填とを円滑になさしめつつも、放電セル間のクロストークを防止して高画質を具現することが可能である。【選択図】図１
2006190681.tif 000002
【特許請求の範囲】
【請求項１】
透明な前面基板及び前記前面基板と対向するように配置される背面基板と、
前記前面基板及び背面基板間に配置され、放電を起こす空間である複数の放電セルを限定するように、一方向に向けて蛇行するように延びて配置される複数の隔壁と、
電荷が印加されて前記放電セル内に電場を形成する複数の電極と、
前記放電セル内に配置される蛍光体層と、
前記放電セル内に存在する放電ガスとを備えることを特徴とするプラズマディスプレイパネル。
【請求項２】
前記隔壁それぞれの延長方向に沿って隣接する放電セルそれぞれが互いにずれるように配置されることを特徴とする請求項１に記載のプラズマディスプレイパネル。
【請求項３】
前記隔壁は、前記隔壁それぞれの延長方向を基準に、左右に交互にずれるように延びることを特徴とする請求項２に記載のプラズマディスプレイパネル。
【請求項４】
透明な前面基板及び前記前面基板と対向するように配置される背面基板と、
前記前面基板及び背面基板間に配置され、放電を起こす空間である複数の放電セルを限定するように、一方向に向けて蛇行するように延びて配置される複数の隔壁と、
電荷が印加されて前記放電セル内に電場を形成する複数の電極と、
前記放電セル内に配置される蛍光体層と、
前記放電セル内に存在する放電ガスとを備え、前記隔壁の延長方向に互いに隣接する放電セルが互いにずれるように限定されることを特徴とするプラズマディスプレイパネル。
【請求項５】
前記隔壁は、前記隔壁それぞれの延長方向を基準に、左右に交互にずれるように延びることを特徴とする請求項４に記載のプラズマディスプレイパネル。
【請求項６】
前記隔壁は、前記隔壁の延長方向と交差する方向に突出する突出部をさらに備えることを特徴とする請求項１または請求項４に記載のプラズマディスプレイパネル。
【請求項７】
前記隔壁の突出部は、前記隔壁が限定する放電セルの内部に向かうように両方向に突出することを特徴とする請求項６に記載のプラズマディスプレイパネル。
【請求項８】
前記隔壁それぞれが延びた方向を基準に、隣接した放電セル間に放電が起きない空間である非放電領域が形成されることを特徴とする請求項１または請求項４に記載のプラズマディスプレイパネル。
【請求項９】
前記非放電領域を限定する隔壁の部分に溝が形成されることを特徴とする請求項１または請求項４に記載のプラズマディスプレイパネル。
【請求項１０】
前記電極は、前記隔壁の延長方向と交差する方向に延長する維持電極と、前記維持電極と前記放電セルで交差するように延びるアドレス電極とを備えることを特徴とする請求項１または請求項４に記載のプラズマディスプレイパネル。
【請求項１１】
前記維持電極は、前記前面基板に支持されて配置され、前記維持電極を覆うように前記前面基板に支持されて配置される前方誘電体層をさらに備えることを特徴とする請求項１０に記載のプラズマディスプレイパネル。
【請求項１２】
前記アドレス電極は、前記背面基板に支持されて配置されることを特徴とする請求項１０に記載のプラズマディスプレイパネル。
【請求項１３】
前記アドレス電極を覆うように前記背面基板に支持されて配置される後方誘電体層をさらに備えることを特徴とする請求項１２に記載のプラズマディスプレイパネル。
【請求項１４】
前記アドレス電極は、隔壁の延長方向に沿って蛇行するように延びて配置されることを特徴とする請求項１２に記載のプラズマディスプレイパネル。
【発明の詳細な説明】
【技術分野】
【０００１】
本発明は、プラズマディスプレイパネルに係り、さらに詳細には、不純物ガスの排気と放電ガスの充填とを円滑になさしめつつも、放電セル間のクロストークを防止して高画質を具現するプラズマディスプレイパネルに関する。
【背景技術】
【０００２】
一般的に、プラズマディスプレイパネル（ＰＤＰ：Ｐｌａｓｍａ Ｄｉｓｐｌａｙ Ｐａｎｅｌ）は、気体放電で生成された紫外線により蛍光体を励起させて所定の映像を具現する表示装置であり、高解像度の大画面構成を可能にした次世代薄型表示装置として脚光を浴びている。
【０００３】
従来、かかるＰＤＰは、構造と駆動原理とによって交流型（ＡＣ ｔｙｐｅ）、直流型（ＤＣ ｔｙｐｅ）及び混合型（Ｈｙｂｒｉｄ ｔｙｐｅ）に分けられており、特に放電構造によって交流型及び直流型ＰＤＰは、面放電型と対向放電型とに分けられているが、最近では、交流型面放電ＰＤＰが大勢をなしている。
【０００４】
かかるＰＤＰは、気体放電を介した発光により画像を具現する表示装置であるから、ＰＤＰの内部に充填される放電ガス及びその配合、そしてその放電ガスの純度がＰＤＰの表示特性に大きい影響を及ぼすので、ＰＤＰの内部に、所定の配合比率を有して純度の高い放電ガスが充填されることが非常に重要である。
【０００５】
しかし、ＰＤＰを製造する過程で、ＰＤＰの内部に不純物ガスが残留し、放電ガスの充填工程でそれら不純物ガスと放電ガスとが混合することによって放電ガスの特性が変わるようになり、それによって画像表示特性が低下するという問題が頻繁に生じる。
【０００６】
一方、かかる不純物ガスの排気と放電ガスの充填とを勘案してＰＤＰの内部に排気路を形成する場合には、その排気路を介して加速された荷電粒子が移動し、隣接する放電セル間にクロストークが発生して画質が低下するという問題点が生じる。従って、不純物ガスの排気と放電ガスの充填とを円滑になさしめつつも、隣接する放電セル間のクロストークを予防して高画質を具現できるＰＤＰの出現が切実であるというのが実情である。
【発明の開示】
【発明が解決しようとする課題】
【０００７】
本発明は、前記のような問題点を含み、次のような技術的課題を解決する。
【０００８】
第一に、本発明は、ＰＤＰ内部に残存する不純物ガスの排気と放電ガスの充填とを円滑になさしめることを目的とする。
【０００９】
第二に、不純物ガスの排気と放電ガスの充填とを円滑にしつつも、隣接する放電セル間にクロストークが発生せずに画質を明確に具現させることを目的とする。
【００１０】
第三に、不純物ガスの残存により発生しうるＰＤＰの寿命低下を防止することを目的とする。
【課題を解決するための手段】
【００１１】
前記のような目的及びそれ以外の目的を達成するために、本発明は、透明な前面基板及び前記前面基板と対向するように配置される背面基板と、前記前面基板及び背面基板間に配置され、放電を起こす空間である複数の放電セルを限定するように、一方向に向けて蛇行するように延びて配置される複数の隔壁と、電荷が印加されて前記放電セル内に電場を形成する複数の電極と、前記放電セル内に配置される蛍光体層と、前記放電セル内に存在する放電ガスとを備えることを特徴とするＰＤＰを提供する。このとき、前記ＰＤＰが備える前記隔壁それぞれの延長方向に沿って隣接する放電セルそれぞれは、互いにずれるように配置されることが望ましい。また、前記ＰＤＰが備える前記隔壁は、前記隔壁それぞれの延長方向を基準に、左右に交互にずれるように延びることが望ましい。
【００１２】
一方、前記ＰＤＰは、透明な前面基板及び前記前面基板と対向するように配置される背面基板と、前記前面基板及び背面基板間に配置され、放電を起こす空間である複数の放電セルを限定するように、一方向に向けて蛇行するように延びて配置される複数の隔壁と、電荷が印加されて前記放電セル内に電場を形成する複数の電極と、前記放電セル内に配置される蛍光体層と、前記放電セル内に存在する放電ガスとを備え、前記隔壁の延長方向に互いに隣接する放電セルが互いにずれるように限定されることを特徴とするＰＤＰを提供する。このとき、前記隔壁は、前記隔壁それぞれの延長方向を基準に、左右に交互にずれるように延びることが望ましい。
【００１３】
前記隔壁は、前記隔壁の延長方向と交差する方向に突出する突出部をさらに備えることが望ましく、前記隔壁の突出部は、前記隔壁が限定する放電セルの内部に向かうように両方向に突出することが望ましい。
【００１４】
前記ＰＤＰは、前記隔壁それぞれが延びた方向を基準に、隣接した放電セル間に放電が起きない空間である非放電領域が形成されることが望ましい。このとき、前記非放電領域を限定する隔壁の部分に溝が形成されることが望ましい。
【００１５】
一方、前記ＰＤＰにおいて、前記電極は、前記隔壁の延長方向と交差する方向に延長する維持電極と、前記維持電極と前記放電セルで交差するように延びるアドレス電極とを備えることが望ましい。
【００１６】
このとき、前記維持電極は、前記前面基板に支持されて配置され、前記ＰＤＰは、前記維持電極を覆うように前記前面基板に支持されて配置される前方誘電体層をさらに備えることが望ましい。
【００１７】
また、前記アドレス電極は、前記背面基板に支持されて配置されることが望ましく、前記ＰＤＰは、前記アドレス電極を覆うように前記背面基板に支持されて配置される後方誘電体層をさらに備えることが望ましい。
【００１８】
一方、前記アドレス電極は、隔壁の延長方向に沿って蛇行するように延びて配置されることが望ましい。
【発明の効果】
【００１９】
本発明は次のような効果を達成する。
【００２０】
第一に、ＰＤＰ内部に残存する不純物ガスを円滑に排気させて放電ガスを容易に充填させ、放電セル内に存在する放電ガスの純度を高めてＰＤＰの画質を向上させる。
【００２１】
第二に、隣接する放電セル間にクロストークが発生せずに、放電セルを物理的に明確に限定して高品質の繊細な画質の具現を可能にする。
【００２２】
第三に、不純物ガスの残存により発生するＰＤＰの寿命低下を予防する。
【発明を実施するための最良の形態】
【００２３】
以下、図面を参照し、本発明によるＰＤＰについて説明する。
【００２４】
まず、図１から図３を参照し、本発明によるＰＤＰについて説明する。前記ＰＤＰ １００は、前方パネル１１０と後方パネル１２０とを備える。前記前方パネル１１０は、透明な前面基板１１１、前記前面基板に支持されて配置され、電荷が印加されて後述する放電セル１２６に電場を形成する複数の電極の一部であるＸ電極１１３とＹ電極１１２とを備える維持電極１１４、前記維持電極１１４を覆うように前記前面基板１１１に支持されて配置される前方誘電体層１１５、前記前方誘電体層１１５を覆う保護膜１１６を備える。
【００２５】
前記後方パネル１２０は、前記前面基板１１１と対向するように配置される背面基板１２１、前記背面基板１２１に支持されて配置され、後述する放電セル１２６で前記維持電極１１４と交差するアドレス電極１２２、前記アドレス電極１２２を覆うように前記背面基板１２１に支持されて配置される後方誘電体層１２３を備える。前記アドレス電極１２２は、図３に図示されているように、後述する隔壁１３０が延びる方向に沿って蛇行するように延びて配置されることが望ましい。
【００２６】
前記ＰＤＰ １００は、前記前面基板１１１と背面基板１２１との間に配置され、放電を起こす空間である複数の放電セル１２６を限定するように、一方向に蛇行するように延びて配置される複数の隔壁１３０を備える。このとき、図１に図示されているように、前記隔壁１３０それぞれが延びる方向に沿って隣接する放電セル１２６それぞれが互いにずれるように配置されることが望ましい。
【００２７】
また、図１に図示されているように、前記隔壁１３０は、それぞれの延長方向を基準に、左右に交互にずれるように延びることが望ましい。かかる隔壁１３０の配置は、不純物ガスの排気時及び放電ガスの充填時、それらガスの円滑な出入りを助け、放電セル１２６の内部に存在する放電ガスの純度を高める。これについては、詳細に後述する。
【００２８】
一方、前記隔壁１３０は、前記隔壁１３０が延びる方向と交差する方向に突出する突出部１３１を備え、前記隔壁１３０の突出部１３１は、前記隔壁１３０が限定する放電セル１２６の内部に向かうように両方向に突出することが望ましい。かかる構造は、放電時に、隣接する放電セル１２６間にクロストークが発生して画質の低下が発生することを防止できる。これについては、詳細に後述する。
【００２９】
前記ＰＤＰ １００は、前記隔壁１３０それぞれが延びた方向を基準に、隣接した放電セル１２６間に放電が起きない空間である非放電領域１２８が形成されることが望ましい。かかる非放電領域１２８は、図３に図示されているように、後述するバス電極１１３ａ，１１２ａが配置されうる空間を提供する。
【００３０】
そして、かかる非放電領域１２８を限定する隔壁の部分１３０ａに溝１３２が形成されることが望ましい。かかる溝１３２は、追加的な不純物ガスの排気路及び放電ガスの充填のための通路として機能できるので望ましい。
【００３１】
前記後方パネル１２０は、前記放電セル１２６内、さらに具体的には、前記隔壁１３０と後方誘電体層１２３とが限定する空間の少なくとも一部に配置される蛍光体層１２５を備え、前記放電セル１２６内には、放電ガスが存在する。
【００３２】
以下、前記ＰＤＰ １００の構成要素について、さらに詳細に説明する。
【００３３】
前記維持電極１１４が備える前記Ｙ電極１１２並びにＸ電極１１３それぞれが、前述のように前面基板１１１に支持されて配置される場合には、蛍光体層１２５で発生する可視光線の進路である光経路（以下、光路とする）上に配置されて可視光線を遮断する。これを防止するために、前記Ｘ電極１１３並びにＹ電極１１２それぞれは、ＩＴＯなどから形成された透明電極１１２ｂ，１１３ｂを備えることが望ましい。
【００３４】
前記透明電極１１２ｂ，１１３ｂは、一般的に抵抗が高くて単独には使われない。従って、前記透明電極１１２ｂ，１１３ｂは、高伝導性を有する金属から形成された、例えば、電気伝導率が高く、相対的に廉価なアルミニウム、銅、クロムのような物質から形成されたバス電極１１２ａ，１１３ａと電気的に連結され、前記Ｘ電極１１３及びＹ電極１１２に備わることが望ましい。
【００３５】
一方、前記維持電極１１４は、図１に図示されているように、Ｘ電極１１３及びＹ電極１１２だけで構成され、前記維持電極１１４に追加的に前記Ｘ電極１１３及びＹ電極１１２間に電荷が印加される中間電極（図示せず）が配置され、前記Ｘ電極１１３及びＹ電極１１２間の間隔が広がりつつも、低電荷で維持放電を発生させることも可能である。従って、図１に図示されているように、本発明のＰＤＰにおいて、維持電極１１４がＸ電極１１３及びＹ電極１１２だけを備えるということで本発明の範囲が限定されるものではない。
【００３６】
一方、前記維持電極１１４は、前記電極材料を含んだ電極ペーストを、スクリーン印刷法などを介して前面基板１１１の背面に塗布した後で乾燥及び焼成して形成するか、または感光性フォトレジストを電極ペーストに含めて感光設備を利用してエッチングすることにより、維持電極１１４を形成するフォトリソグラフィ法を利用することもできる。
【００３７】
前記前方誘電体層１１５は、前記維持電極１１４に印加された電荷により荷電粒子を誘導し、放電セル１２６の内部に放電のための壁電荷を誘導し、前記維持電極１１４を保護する機能を果たす。
【００３８】
前記前方誘電体層１１５は、ＰｂＯ、ＳｉＯ２などから形成できる誘電体ペーストをスクリーン印刷法で前記前面基板１１１に塗布した後で焼成することで配置可能である。
【００３９】
前記保護膜１１６は、ＭｇＯなどで形成され、放電時に二次電子の放出を増加させて放電を容易にし、放電が起きるときに加速された荷電粒子の衝突から前記前方誘電体層１１５と維持電極１１４とを保護し、ＰＤＰの寿命を長くする。前記保護膜１１６は、蒸着のような方法で容易に配置可能である。
【００４０】
前記アドレス電極１２２は、前記維持電極１１４の配置に利用される前述のスクリーン印刷法またはフォトリソグラフィ法などで前記背面基板１２１の前面に配置されうる。一方、前記アドレス電極１２２は、図１に図示されているように、必ずしも前記背面基板の前面に配置される必要はなく、前記背面基板の前面に紫外線反射層（図示せず）、可視光線反射層（図示せず）などが配置されるときには、その層の前面に配置されうるなど、その配置位置に特別の制限はない。
【００４１】
前記アドレス電極１２２は、光路上に位置しないので、電気伝導率が良好であって相対的に廉価な銀、銅、クロムなどから形成可能である。
【００４２】
前記後方誘電体層１２３は、前記前方誘電体層１１５と同様の方法で形成可能である。一方、前記アドレス電極１２２が後述する蛍光体層１２５により覆われる場合には、蛍光体層１２５が後方誘電体層１２３の機能を代替することができるので、後方誘電体層１２３は必ずしも必須な構成要素ではない。しかし、隔壁１３０をサンドブラスト法により形成する場合、アドレス電極１２２がエッチングされて損なわれることもあるので、後方誘電体層１２３が備わることが望ましい。
【００４３】
前記蛍光体層１２５は、ＰＤＰ １００にカラー画像を具現させるために、赤色発光、緑色発光、及び青色発光の蛍光体層が備えられ、前記赤色発光、緑色発光、及び青色発光の蛍光体層が放電セル１２６の内部に配置されて単位画素を形成できる。
【００４４】
前記蛍光体層１２５は、赤色発光蛍光体、緑色発光蛍光体、青色発光蛍光体のうち、いずれか１つの蛍光体、ソルベント及びバインダーが混合された蛍光体ペーストが、前記後方誘電体層が配置されている場合、前記放電セル内の後方誘電体層の全面と隔壁側面の一部とに塗布された後、乾燥及び焼成工程を経ることにより形成可能である。
【００４５】
前記赤色発光蛍光体としては、例えば、（Ｙ，Ｇｄ）ＢＯ３：Ｅｕ３＋などが使われ、緑色発光蛍光体としては、例えば、Ｚｎ２Ｓｉ０４：Ｍｎ２＋などが使われ、青色発光蛍光体としては、ＢａＭｇＡｌ１０Ｏ１７：Ｅｕ２＋などが使われうる。
【００４６】
前記隔壁１３０は、前記後方誘電体層１２３が配置されている場合には、前記後方誘電体層１２３の全面にＰｂ、Ｂ、Ｓｉ、Ａｌ、及びＯのような元素を含むガラス成分と、必要に応じて、ＺｒＯ２、ＴｉＯ２及びＡｌ２Ｏ３のようなフィラと、Ｃｒ、Ｃｕ、Ｃｏ、Ｆｅ、ＴｉＯ２のような顔料とが含まれた隔壁材により構成された隔壁材ペーストを塗布し、その隔壁材ペースト上の所定の形状を誘導するマスクパターンを仕上げた後、加速されたセラミック粒子でその隔壁材ペーストをエッチングするサンドブラスト法や、感光性物質を利用して露光及び現像工程を利用するフォトリソグラフィ法などを活用して配置されうる。
【００４７】
前記放電セル１２６内には、大気圧より低い真空の放電ガス（ほぼ０．５ａｔｍ以下）が充填される。前記放電ガスは、１０％前後のキセノン（Ｘｅ）ガスを含んだネオン（Ｎｅ）、ヘリウム（Ｈｅ）、またはアルゴン（Ａｒ）のうちいずれか一つ、あるいはそれらのうち二以上の混合ガスからなる放電ガスが充填される。
【００４８】
以下、図４を参照し、本発明の隔壁１３０の機能について説明する。
【００４９】
放電セル１２６内部の可視光線の発光は、主にキセノンガスが放電セル内の荷電粒子と衝突して励起されていて、励起されたキセノンガスのエネルギーレベルが低エネルギーレベルに落ちつつ発生する１４７ｎｍ、１７３ｎｍの紫外線により発生する。すなわち、前述の波長を有する紫外線が蛍光体層１２５に備わった蛍光体を励起させて可視光線を発生させる。このとき、前記キセノンガスと混合されている前記ネオン、ヘリウム、またはアルゴンガスは、準安定状態のシードが生成され、他のシードのイオン化反応を促進させるペニング効果（Ｐｅｎｎｉｎｇ Ｅｆｆｅｃｔ）を介してキセノンガスによる放電を助ける。
【００５０】
従って、かかる放電ガス相互間の有機的な相互協力により、プラズマ放電が発生して画像が表示されるので、前記放電ガスがいかなるガスからなっているか、そしてその混合比がいかようであるか、そして前記放電ガスに不純物ガスが入っているか否かは、ＰＤＰの表示特性に大きい影響を及ぼす。
【００５１】
一方、前記放電セル１２６内に配置される蛍光体層１２５は、乾燥及び焼成工程を経ることによって形成され、隔壁１３０もまた一般的に乾燥及び焼成過程を経る。かかる焼成工程中、前記隔壁１３０、蛍光体層１２５を形成する材料に含まれた揮発性材料が不純物ガスの形態で揮発し、前記不純物ガスのうちの一部は外部に放出されるが、一部は放電セル１２６に残る。
【００５２】
一方、エッチング、フォトリソグラフィのような他の工程を利用する場合においても、揮発性物質の揮発によって不純物ガスが発生し、一部が放電セル１２６に残ることになる。このとき、かかる不純物ガスが放電セル１２６に残り続けていれば、その後の工程で充填される放電ガスと混合されて放電ガスの特性を変化させ、それにより、ＰＤＰの表示特性を低下させるようになり、それだけではなく、プラズマ放電が発生する過程で化学反応を介して互いに結合され、予測不可能な結果を招くことがある。
【００５３】
また、ＭｇＯなどから形成される保護膜１１６が不純物ガスとの化学反応を介して汚染され、その保護機能と二次電子放出機能とが大きく低下することもある。それにより、ＰＤＰの寿命が大きく短縮される。
【００５４】
かかる不純物ガスの特性を考慮するとき、ＰＤＰを製造する工程で、前記不純物ガスを所定レベル以下に十分に排気し、放電ガスを充填することが重要であるといえる。
【００５５】
このとき、本発明とは異なり、放電セルをマトリックス状に限定するように隔壁が閉鎖型に配置される場合には、不純物ガスが排気されて放電ガスが充填されうる隔壁と隔壁との間にさらに他の隔壁がさえぎっており、不純物ガスの排気と放電ガスの充填とのための通路が十分に確保されない。それにより、放電ガスの純度低下による前述の問題点が生じる可能性が非常に高い。
【００５６】
一方、隔壁を一方向に延長するストライプ状の隔壁を利用して放電セルを限定することもある。その場合においては、前述の通路が隔壁と隔壁との間に十分に形成できるので、不純物ガスとの排気と放電ガスの充填とが円滑になされうる。しかし、そのときには、放電セルの形状が物理的に正確に限定されず、画像を具現する基本単位が明確に定義され難く、隣接する放電セル間にクロストークが発生して画質が低下するという問題点がある。
【００５７】
しかし、本発明による隔壁１３０の備わったＰＤＰ １００は、前述の問題点をいずれも克服して長所だけを取れる。図４を参照してさらに具体的に説明すれば、放電セル１２６の内部に真空圧を形成する場合に、放電セル１２６の内部に残存する不純物ガスが隔壁１３０間を介して隣接する放電セル１２６を経て通路１５１，１５３に沿って排出され、前記通路１５１，１５３に沿って放電ガスが充填される。このとき、前記通路１５１，１５３が、ストライプタイプの隔壁配置に比べて、たとえずれるように形成されているとしても、排気圧を十分に維持する場合には、かかるずれは大きな問題にならない。そして、前述のように、隔壁１３０に溝１３２が形成される場合には、非放電領域１２８を横切る通路１５２，１５４に沿って排気ガスが排出されて放電ガスが充填されるために、はるかに容易な不純物ガスの排気と放電ガスの充填とが可能になる。
【００５８】
また、隔壁が閉鎖型に配置される場合とは異なり、排気方向１５１，１５３間に何らの障害物もないために、隔壁が閉鎖型に配置される場合に比べ、はるかに容易な不純物ガスの排気と放電ガスの充填とが可能になる。
【００５９】
一方、放電セル１２６内に電極１１４，１２２に印加された電荷により電場が形成され、荷電粒子が加速される場合には、隔壁１３０に形成された突出部１３１により荷電粒子が隔壁１３０の延びる方向に沿って隣接する放電セル１２６間で移動することが防がれ、クロストークを防止できる。従って、不純物ガスの排気と放電ガスの充填とが円滑になされつつも、隣接する放電セル１２６間のクロストークが防止され、画質の低下が防止される。
【００６０】
また、前記突出部１３１が形成され、隔壁１３０が延びる方向に沿って隣接する放電セル１２６がずれるように配置されることにより、放電セル１２６が物理的に明らかに限定されるので、画素を明確に具現でき、それにより繊細な画質を具現できる。
【００６１】
本発明は、図面に図示された実施例を参考に説明されたが、それは例示的なものに過ぎず、本技術分野の当業者ならば、それから多様な変形及び均等な他の実施例が可能であるという点が理解されるであろう。従って、本発明の真の技術的保護範囲は、特許請求の範囲の技術的思想によって決まるものである。
【産業上の利用可能性】
【００６２】
本発明は、ＰＤＰ関連の技術分野に効果的に適用可能である。
【図面の簡単な説明】
【００６３】
【図１】本発明によるＰＤＰを図示する分離斜視図である。
【図２】本発明によるＰＤＰをＩＩ−ＩＩ線に沿って切り取った断面図である。
【図３】本発明によるＰＤＰの電極の配置を説明するために、図２の断面図に電極の配置を図示した図面である。
【図４】本発明によるＰＤＰの放電ガスの充填と排気とを説明するために、図２の断面図に放電ガスの充填と排気とを図示した図面である。
【符号の説明】
【００６４】
１００  プラズマディスプレイパネル
１１０  前方パネル
１１１  前面基板
１１２  Ｙ電極
１１２ａ，１１３ａ  バス電極
１１２ｂ，１３ｂ  透明電極
１１３  Ｘ電極
１１４  維持電極
１１５  前方誘電体層
１１６  保護膜
１２０  後方パネル
１２１  背面基板
１２２  アドレス電極
１２３  後方誘電体層
１２５  蛍光体層
１２６  放電セル
１２８  非放電領域
１３０  隔壁
１３０ａ  隔壁の部分
１３１  突出部
１３２  溝
１５１，１５２，１５３，１５４  通路
【図１】
2006190681.tif 000003
【図２】
2006190681.tif 000004
【図３】
2006190681.tif 000005
【図４】
2006190681.tif 000006